(57)【要約】【課題】浄化材を充填した状態でカートリッジ本体を簡便かつ確実に封じることができる水処理カートリッジを提供することを目的とする。【解決手段】カートリッジ本体１０２内に浄化材１０４が充填され、カートリッジ本体１０２が、筒状の胴部１１０及び胴部１１０の一方の開口端を閉じる板部１１２を備える本体部１０６と、板状の閉止部１２６及び閉止部１２６の周縁から全周にわたって筒状に突出する側壁部１２８を備える蓋部１０８と、を備え、胴部１１０の外周面１１４ａに、第１嵌合部１１６が周方向に全周にわたって設けられ、側壁部１２８の内周面１３２ａに、第１嵌合部１１６と嵌合する第２嵌合部１３４が周方向に全周にわたって設けられ、第１嵌合部１１６と第２嵌合部１３４が嵌合するように蓋部１０８が本体部１０６に装着される、水処理カートリッジ１００。【選択図】図３
2017192919.tif 000002
【特許請求の範囲】
【請求項１】
カートリッジ本体内に浄化材が充填された水処理カートリッジであって、
前記カートリッジ本体が、筒状の胴部及び前記胴部の一方の開口端を閉じる板部を備える本体部と、板状の閉止部及び前記閉止部の周縁から全周にわたって筒状に突出する側壁部を備える蓋部と、を備え、
前記胴部の外周面に、第１嵌合部が周方向に全周にわたって設けられ、
前記側壁部の内周面に、前記第１嵌合部と嵌合する第２嵌合部が周方向に全周にわたって設けられ、
前記第１嵌合部と前記第２嵌合部が嵌合するように前記蓋部が前記本体部に装着される、水処理カートリッジ。
【請求項２】
前記胴部における前記板部と反対側の開口端の内周面側に嵌まり込んで前記胴部の変形を抑制する補強部材をさらに備える、請求項１に記載の水処理カートリッジ。
【発明の詳細な説明】
【技術分野】
【０００１】
本発明は、水処理カートリッジに関する。
【背景技術】
【０００２】
一般家庭の浴室、洗面台、理容院、美容院等で使用されるシャワーに供給される原水は、通常、水道水である。しかし、水道水には残留塩素が多く含まれているため、頻繁に頭髪や身体をシャワーで洗浄すると、頭髪に傷みや変色が生じたり、肌荒れが生じたりすることがある。そこで、例えば、脱塩素効果が得られるシャワーヘッドとして、亜硫酸カルシウム等の脱塩素剤が充填された水処理カートリッジが収納されたシャワーヘッドが提案されている（特許文献１）。
【０００３】
このようなシャワーヘッドに収納される水処理カートリッジのカートリッジ本体は、通常２つの部材からなり、浄化材を充填した状態でそれら２つの部材が合わせて閉じられ、超音波溶着等で液密に封じられることで形成される。しかし、このような方法で形成される水処理カートリッジは、製造工程が煩雑でコスト面でも不利である。
【先行技術文献】
【特許文献】
【０００４】
【特許文献１】特許第４９０７７７８号公報
【発明の概要】
【発明が解決しようとする課題】
【０００５】
本発明は、浄化材を充填した状態でカートリッジ本体を簡便かつ確実に封じることができる水処理カートリッジを提供することを目的とする。
【課題を解決するための手段】
【０００６】
本発明は、以下の構成を有する水処理カートリッジを提供する。
［１］カートリッジ本体内に浄化材が充填された水処理カートリッジであって、前記カートリッジ本体が、筒状の胴部及び前記胴部の一方の開口端を閉じる板部を備える本体部と、板状の閉止部及び前記閉止部の周縁から全周にわたって筒状に突出する側壁部を備える蓋部と、を備え、前記胴部の外周面に、第１嵌合部が周方向に全周にわたって設けられ、前記側壁部の内周面に、前記第１嵌合部と嵌合する第２嵌合部が周方向に全周にわたって設けられ、前記第１嵌合部と前記第２嵌合部が嵌合するように前記蓋部が前記本体部に装着される、水処理カートリッジ。
［２］前記胴部における前記板部と反対側の開口端の内周面側に嵌まり込んで前記胴部の変形を抑制する補強部材をさらに備える、［１］に記載の水処理カートリッジ。
【発明の効果】
【０００７】
本発明の水処理カートリッジは、浄化材を充填した状態でカートリッジ本体を簡便かつ確実に封じることができる。
【図面の簡単な説明】
【０００８】
【図１】本発明の水処理カートリッジの一例を示した側面図である。
【図２】図１の水処理カートリッジの平面図である。
【図３】図２の水処理カートリッジのＡ−Ａ断面図である。
【図４】図３の水処理カートリッジにおける第１嵌合部及び第２嵌合部の部分を拡大した断面図である。
【図５】本発明の水処理カートリッジの他の例を示した断面図である。
【図６】本発明の水処理カートリッジの他の例を示した断面図である。
【図７】本発明の水処理カートリッジの他の例を示した断面図である。
【図８】本発明の水処理カートリッジの他の例を示した断面図である。
【図９】本発明の水処理カートリッジの他の例を示した断面図である。
【図１０】図９の水処理カートリッジにおける補強部材の平面図である。
【図１１】本発明の水処理カートリッジを備えるシャワーヘッドの一例を示した断面図である。
【発明を実施するための形態】
【０００９】
本発明の水処理カートリッジは、カートリッジ本体内に浄化材が充填された水処理カートリッジである。以下、本発明の水処理カートリッジの一例を示して詳細に説明する。
本実施形態の水処理カートリッジ１００は、図１〜４に示すように、カートリッジ本体１０２と、カートリッジ本体１０２内に充填された浄化材１０４と、を備えている。水処理カートリッジ１００は、シャワーヘッドにおけるヘッド部内に収納されるものである。
【００１０】
［カートリッジ本体］
カートリッジ本体１０２は、本体部１０６と、蓋部１０８とを備えている。すなわち、カートリッジ本体１０２は、本体部１０６と蓋部１０８とに分割できるようになっている。本体部１０６内に浄化材１０４が収容された状態で蓋部１０８を本体部１０６に装着することにより、水処理カートリッジ１００が形成される。
【００１１】
（本体部）
本体部１０６は、円筒状の胴部１１０と、胴部１１０の一方の開口端を閉じるように設けられた円板状の板部１１２と、を備えている。胴部１１０の先端部分には、径方向の外側から内側に向かって窪むように厚みが薄くなった薄肉部１１４が設けられている。胴部１１０の薄肉部１１４の外周面１１４ａには、径方向の外側に向かって突出する凸条からなる第１嵌合部１１６が周方向に全周にわたって設けられている。第１嵌合部１１６は、蓋部１０８を本体部１０６に装着したときに、後述する第２嵌合部１３４と嵌合するようになっている。
【００１２】
この例の第１嵌合部１１６の断面形状は、台形状であり、板部１１２側の面１１６ａが胴部１１０の高さ方向に対して垂直になっている。なお、第１嵌合部１１６の断面形状は、充分な嵌合強度を確保できる範囲であれば台形状には限定されず、例えば、長方形状等であってもよい。
【００１３】
第１嵌合部１１６の高さは、すなわち胴部１１０の薄肉部１１４の外周面１１４ａから第１嵌合部１１６の先端面１１６ｂまでの距離は、嵌合強度及び蓋部１０８の装着しやすさを考慮して適宜設定すればよく、例えば、０．２〜２ｍｍとすることができる。
【００１４】
板部１１２は、板部１１２を外部側から正面視したときの中央部が外部側に突き出るように湾曲した形状になっている。板部１１２をこのように湾曲させることで、カートリッジ本体１０２をコンパクト化しつつ、充分な量の浄化材１０４を充填することが容易になる。
【００１５】
板部１１２には、板部１１２を外部側から正面視したときの中央部に円形状の窪部１１７が形成され、その周りに複数の開口１１８が形成されている。この例の開口１１８の正面視形状は、円形状である。なお、板部に形成される開口の正面視形状は、円形状には限定されず、例えば、楕円状、矩形状等であってもよい。
【００１６】
複数の開口１１８は、板部１１２を外部側から正面視したときに、中央部から径方向の外側に向かって放射状に広がるように複数列に並んで配置されている。なお、開口１１８の数及び配置は、特に限定されず、水の流入又は流出がスムーズに行えるように適宜設定すればよい。
【００１７】
板部１１２の内部側には、板部１１２の内壁面１１２ａにおける胴部１１０の傍から胴部１１０に沿って立ち上がる円環状の突出部１２０が設けられている。また、板部１１２の内壁面１１２ａにおける中央部分にも、円環状の突出部１２１が設けられている。板部１１２の内側においては、突出部１２０及び突出部１２１の先端部が接着された状態で、全ての開口１１８を覆うように、かつ内壁面１１２ａに沿うようにフィルタ１２２が取り付けられている。
【００１８】
フィルタ１２２を取り付ける方法は、特に限定されず、溶着であってもよく、接着剤による接着であってもよい。この例のように外部側に突き出るように湾曲した板部の内壁面には、フィルタを充分な接着力で直接接着させることは難しい。しかし、突出部１２０，１２１のような突出部を設け、それらをフィルタに接着させることで、板部の内壁面に充分な接着力でフィルタを接着させることが容易になる。
【００１９】
突出部１２０，１２１の高さは、充分な接着力で不織布を取り付けることができる高さであれば特に限定されず、例えば、０．１〜１ｍｍとすることができる。
突出部の断面形状は、フィルタへの溶着や、接着剤による接着が可能な形状であれば、特に限定さない。この例の突出部の断面形状は、略三角形状の突出部の先端部が溶着によって丸みを帯びた形状になっている。
【００２０】
フィルタとしては、浄化材を通過させずに水を通過させることができるものであればよく、例えば、不織布、多孔質シート等が挙げられる。なかでもフィルタとしては、不織布が好ましい。
【００２１】
板部１１２の外壁面１１２ｂにおける外周縁部には、全周にわたって円環状の凹条からなる段差１２４が形成されている。この例の段差１２４は、シャワーヘッド内に収納した際の水処理カートリッジ１００を安定させるために利用することができる。
【００２２】
（蓋部）
蓋部１０８は、円板状の閉止部１２６と、閉止部１２６の周縁から全周にわたって筒状に突出する側壁部１２８と、を備えている。閉止部１２６は、閉止部１２６を外部側から正面視したときの中央部が外部側に突き出るように湾曲した形状になっている。閉止部をこのように湾曲させることで、カートリッジ本体１０２をコンパクト化しつつ、充分な量の浄化材１０４を充填することが容易になる。
【００２３】
閉止部１２６には、閉止部１２６を外部側から正面視したときの中央部に円形状の窪部１２９が形成され、その周りに複数の開口１３０が形成されている。開口１３０の正面視形状は、円形状である。なお、板部に形成される開口の正面視形状は、円形状には限定されず、例えば、楕円状、矩形状等であってもよい。
【００２４】
複数の開口１３０は、閉止部１２６を外部側から正面視したときに、中央部から径方向の外側に向かって放射状に広がるように複数列に並んで配置されている。なお、開口１３０の数及び配置は、特に限定されず、水の流入又は流出がスムーズに行えるように適宜設定すればよい。板部１１２に形成される開口１１８の正面視形状、数及び配置と、閉止部１２６に形成される開口１３０の正面視形状、数及び配置は、同じであってもよく、異なっていてもよい。
【００２５】
側壁部１２８の先端部分は、径方向の内側から外側に向かって窪むように厚みが薄くなっている薄肉部１３２が設けられている。蓋部１０８における側壁部１２８の薄肉部１３２の内径は、本体部１０６における胴部１１０の薄肉部１１４の外径と同等になっている。すなわち、蓋部１０８を本体部１０６に装着したときには、側壁部１２８の薄肉部１３２が胴部１１０の薄肉部１１４の外側に被さるようになっている。
【００２６】
側壁部１２８の薄肉部１３２の内周面１３２ａには、第１嵌合部１１６が嵌合する凹条からなる第２嵌合部１３４が周方向に全周にわたって設けられている。第１嵌合部１１６が第２嵌合部１３４に嵌まり込むように蓋部１０８を本体部１０６に装着することでカートリッジ本体１０２が形成される。このように、カートリッジ本体１０２における本体部１０６と蓋部１０８の装着構造は、スナップフィット式になっている。これにより、側壁部１２８の薄肉部１３２と胴部１１０の薄肉部１１４とを超音波溶着しなくても、浄化材１０４が漏れ出すことを抑制できる充分な強度で簡便に蓋部１０８を本体部１０６に装着することができる。
【００２７】
この例の第２嵌合部１３４は、深くなるにつれて幅が狭くなる凹条になっており、第２嵌合部１３４における先端側に、薄肉部１３２の厚みが徐々に厚くなるような傾斜面１３４ａが形成されている。これにより、蓋部１０８を本体部１０６に装着する際に側壁部１２８の薄肉部１３２がより破損しにくくなるとともに、嵌合が外れ難くなる。
第２嵌合部１３４の深さは、第１嵌合部１１６の高さに応じて適宜設定することができる。
【００２８】
閉止部１２６の内部側には、本体部１０６の板部１１２と同様に、内壁面１２６ａにおける側壁部１２８の傍から側壁部１２８に沿って立ち上がる円環状の突出部１３６が設けられている。また、閉止部１２６の内壁面１２６ａにおける中央部分にも、円環状の突出部１３７が設けられている。閉止部１２６の内側においては、突出部１３６及び突出部１３７の先端部が接着された状態で、全ての開口１３０を覆うように、かつ内壁面１２６ａの形状に沿うようにフィルタ１３８が取り付けられている。
【００２９】
フィルタ１３８を取り付ける方法は、特に限定されず、溶着であってもよく、接着剤による接着であってもよい。この例のように外部側に突き出るように湾曲した閉止部の内壁面には、フィルタを充分な接着力で直接接着させることは難しい。しかし、突出部１３６，１３７のような突出部を設け、それらをフィルタに接着させることで、閉止部１２６の内壁面１２６ａに充分な接着力でフィルタを接着させることが容易になる。
【００３０】
閉止部１２６の外壁面１２６ｂにおける外周縁部には、本体部１０６の板部１１２と同様に、全周にわたって円環状の凹条からなる段差１４０が形成されている。段差１４０は、本体部１０６の板部１１２に設けれた段差１２４と同様に、シャワーヘッド内に収納した際の水処理カートリッジ１００を安定させるために利用することができる。
【００３１】
水処理カートリッジ１００がシャワーヘッドのヘッド部内に収納された状態では、例えば、本体部１０６の板部１１２が一次側、蓋部１０８の閉止部１２６が二次側に向けられる。この場合、本体部１０６の板部１１２に形成された開口１１８から水がカートリッジ本体１０２内に流入し、蓋部１０８の閉止部１２６に形成された開口１３０から流出する。なお、本体部１０６の板部１１２が二次側を向き、蓋部１０８の閉止部１２６が一次側に向くように水処理カートリッジ１００をシャワーヘッド内に収納してもよい。この場合は、蓋部１０８の閉止部１２６に形成された開口１３０から水がカートリッジ本体１０２内に流入し、本体部１０６の板部１１２に形成された開口１１８から流出する。
【００３２】
カートリッジ本体の材質としては、特に限定されず、シャワーヘッドに収納される水処理カートリッジに用いられる公知の材料を採用できる。具体的には、例えば、ポリプロピレン、ポリフェニレンエーテル、ポリオキシメチレン、ポリカーボネート、ＡＢＳ、ＡＳＡ、ＰＭＰ等の耐熱性の樹脂等が挙げられる。
不織布の材質としては、特に限定されず、水処理カートリッジに通常使用されるものを使用できる。
【００３３】
カートリッジ本体の製造方法は、特に限定されず、射出成形等の公知の成形方法等を採用できる。
本発明では、カートリッジ本体の外側にシュリンクフィルムで覆い、該シュリンクフィルムを熱収縮させて本体部と蓋部とを固定してもよい。この場合、本体部における板部の外周縁部と、蓋部における閉止部の外周縁部が、本体部の胴部及び蓋部の側壁部とともにシュリンクフィルムで覆われることが好ましい。これにより、カートリッジ本体をより確実に封じることができる。
【００３４】
［浄化材］
浄化材１０４は、特に限定されず、水処理カートリッジに使用される公知の浄化材を使用することができる。浄化材の具体例としては、例えば、軟水化処理剤、脱塩素剤等が挙げられる。
【００３５】
軟水化処理剤としては、イオン交換樹脂、イオン交換繊維、キレート繊維等が挙げられる。軟水化処理剤としては、硬度除去性能及び取扱い性の観点から、イオン交換樹脂が好ましく、陽イオン交換樹脂がより好ましい。
陽イオン交換樹脂としては、例えば、スルホン酸基等の強酸基を有する強酸性陽イオン交換樹脂、カルボキシ基等の弱酸基を有する弱酸性陽イオン交換樹脂等が挙げられる。なかでも、強酸性陽イオン交換樹脂が好ましい。陽イオン交換樹脂としては、市販品を使用してもよい。市販品としては、例えば、オルガノ株式会社製「アンバージェット」、「アンバーライト」；三菱化学株式会社製「ダイヤイオン」等が挙げられる。軟水化処理剤としては、１種を単独で使用してもよく、２種以上を併用してもよい。
【００３６】
脱塩素剤としては、特に限定されず、例えば、亜硫酸カルシウム、アスコルビン酸、活性炭等が挙げられる。なかでも、脱塩素剤としては、硬度除去性能及び取扱い性の観点から、亜硫酸カルシウムが好ましい。脱塩素剤としては、１種を単独で使用してもよく、２種以上を併用してもよい。
【００３７】
浄化材には、公知の機能付加材を含有させてもよい。機能付加材としては、例えば、臭気除去剤（ジビニルベンセン系ポリマー等）、保湿剤（植物エキス、ヒアルロン酸、コラーゲン等）、清涼剤（メントール、ミョウバン等）、芳香剤（ローズウッド、ジャスミン、ラベンダー等）等が挙げられる。機能付加材としては、１種を単独で使用してもよく、２種以上を併用してもよい。
【００３８】
［シャワーヘッド］
以下、水処理カートリッジ１００を備えるシャワーヘッドの一例を示して説明する。本実施形態のシャワーヘッド１は、図１１に示すように、シャワーヘッド本体１０と、シャワーキャップ１２と、水処理カートリッジ１００と、パッキン１６と、を備えている。
【００３９】
シャワーヘッド本体１０は、グリップ１８と、グリップ１８の先端に設けられたヘッド部２０とを備えている。グリップ１８は、把持可能な筒状で、下端部にシャワーホースを接続できるようになっている。ヘッド部２０は、正面視形状が円形状で、グリップ１８に対して正面側に突き出るように設けられている。ヘッド部２０の内部には、グリップ１８内の流路１８ａと連通する空洞部分からなる、水処理カートリッジ１００を収納する収納部２２が形成されている。
【００４０】
ヘッド部２０内の収納部２２よりも背面側には、収納部２２に収納された水処理カートリッジ１００に当接して支持する板状の支持部２４が複数設けられている。複数の支持部２４は、ヘッド部２０を正面視したときの内周壁沿いに中心に向かって突出するように、内周壁に沿って間隔を空けて設けられている。
【００４１】
ヘッド部２０における正面側の先端部２８は、円筒状の第１周壁部３０と、第１周壁部３０を囲う円筒状の第２周壁部３２との二重構造となっており、それらの間に隙間が形成されている。内側の第１周壁部３０の外壁面には、周方向に延びる複数の凸条３４が部分的に設けられている。第１周壁部３０の外壁面における凸条３４よりも先端側には、全周にわたって溝３６が設けられている。溝３６には、Ｏリング３８が装着されている。
【００４２】
シャワーキャップ１２は、円筒状の側壁部４０と、側壁部４０の先端開口部を閉じる円板状の散水板４２とを備えている。散水板４２には、複数の散水孔４２ａが形成されている。側壁部４０における散水板４２と反対側の後端側部分における内壁面には、複数の凸条３４にそれぞれ対応する複数の凹部４４が部分的に設けられている。側壁部４０の内壁面を正面視したときの凹部４４の形状は、側壁部４０における散水板４２と反対側の縁から散水板４２に向かって延び、さらに周方向に垂直に屈曲した形状になっている。
【００４３】
シャワーキャップ１２は、側壁部４０における散水板４２と反対側の後端側部分がヘッド部２０の第１周壁部３０と第２周壁部３２の間に挿入され、ヘッド部２０の正面側に装着されている。また、ヘッド部２０の第１周壁部３０に設けられた凸条３４は凹部４４における散水板４２と反対側から嵌まり、さらに周方向に延びる部分の奥側へと移動されてロックされている。このように、シャワーキャップはバヨネット式で装着されている。シャワーキャップ１２の側壁部４０とヘッド部２０の第１周壁部３０との間はＯリング３８によって水密に封じられている。
【００４４】
シャワーヘッド本体１０及びシャワーキャップ１２の材質としては、特に限定されず、シャワーヘッドに用いられる公知の材質を採用できる。具体的には、例えば、ポリプロピレン、ポリフェニレンエーテル、ポリオキシメチレン、ポリカーボネート、ＡＢＳ、ＡＳＡ、ＰＭＰ等の軟化点が８０℃以上の耐熱性の樹脂や、ステンレス等の金属等が挙げられる。シャワーヘッド本体１０及びシャワーキャップ１２の製造方法は、特に限定されず、公知の成形方法等を採用できる。
【００４５】
この例では、ヘッド部２０内の収納部２２に、閉止部１２６が一次側に向くように水処理カートリッジ１００が収納されている。また、この状態では、ヘッド部２０内に設けられた支持部２４の先端部が段差１４０に嵌まるように水処理カートリッジ１００に当接されることで、水処理カートリッジ１００が支持されている。なお、板部１１２が一次側に向くように水処理カートリッジ１００をヘッド部２０内に収納した場合でも、支持部２４が段差１２４に嵌まるように当接することで、水処理カートリッジ１００が安定して保持される。
【００４６】
パッキン１６は、円環状で、円環に垂直な断面形状が五角形状になっており、５つの平面部のうちの内側の２つの平面部１６ａ，１６ｂが断面においてＶ字状に突き出すように形成されているＶ型パッキンである。パッキン１６は、シャワーキャップ１２側の平面部分が、シャワーキャップ１２における散水板４２の周縁に形成されたフランジ部に密着するように固定されている。また、パッキン１６の内側における背面側の平面部１６ａが水処理カートリッジ１００における胴部１１０の板部１１２寄りに密着するように、全周にわたって圧着されている。これにより、ヘッド部２０内における水処理カートリッジ１００の一次側と二次側とが水密に隔離されている。
【００４７】
シャワーヘッド１においては、グリップ１８の流路１８ａを通じてヘッド部２０内まで流入してきた原水の全量が、閉止部１２６に形成された開口１３０から水処理カートリッジ１００のカートリッジ本体１０２内に流入する。そして、浄化材１０４中を通過した処理水が、開口１１８から流出し、散水板４２の散水孔４２ａからシャワー状に散水される。
【００４８】
以上説明した本発明の水処理カートリッジにおいては、胴部に第１嵌合部が設けられた本体部と、側壁部に第２嵌合部が設けられた蓋部とが、第１嵌合部と第２嵌合部が互いに嵌合するように装着されることでカートリッジ本体が形成される。このように、スナップフィット式が採用されているため、超音波溶着等の複雑な手法を用いなくても、浄化材を充填した状態でカートリッジ本体を簡便かつ確実に封じることができる。
【００４９】
なお、本発明の水処理カートリッジは、前記した水処理カートリッジ１００には限定されない。例えば、本発明の水処理カートリッジは、図５に例示した水処理カートリッジ１００Ａであってもよい。図５における図４と同じ部分は、同符号を付して説明を省略する。水処理カートリッジ１００Ａは、本体部１０６の胴部１１０における薄肉部１１４の基端部の外周面に周方向に全周にわたって凹条１４２が形成され、蓋部１０８の側壁部１２８における薄肉部１３２の先端部の内周面に、全周にわたって凸条１４４が形成されている以外は、水処理カートリッジ１００と同じである。
【００５０】
水処理カートリッジ１００Ａでは、第１嵌合部１１６と第２嵌合部１３４の嵌合に加えて、さらに凸条１４４と凹条１４２とが嵌合する。これにより、水処理カートリッジ１００の場合に比べて蓋部１０８がより高い強度で本体部１０６に装着されるため、カートリッジ本体１０２をより確実に封じることができる。
【００５１】
本発明の水処理カートリッジは、図６に例示した水処理カートリッジ１００Ｂであってもよい。図６における図４と同じ部分は、同符号を付して説明を省略する。水処理カートリッジ１００Ｂは、第１嵌合部１１６及び第２嵌合部１３４の代わりに、第１嵌合部１１６Ａ及び第２嵌合部１３４Ａが設けられている以外は、水処理カートリッジ１００と同じである。第１嵌合部１１６Ａは、断面形状が三角形状で、板部１１２側の面１１６ａが胴部１１０の高さ方向に対して垂直になっている以外は、第１嵌合部１１６と同じである。第２嵌合部１３４Ａは、断面形状が第１嵌合部１１６Ａと相補的な三角形状で、閉止部１２６側の面１３４ｂが側壁部１２８の高さ方向に対して垂直になっている以外は、第２嵌合部１３４と同じである。
【００５２】
水処理カートリッジ１００Ｂでは、第１嵌合部１１６Ａの板部１１２側の面１１６ａと、第２嵌合部１３４Ａの閉止部１２６側の面１３４ｂとが接するようになっており、第１嵌合部１１６Ａが第２嵌合部１３４Ａからより抜けにくくなっている。これにより、水処理カートリッジ１００の場合に比べて蓋部１０８がより高い強度で本体部１０６に装着されているため、カートリッジ本体１０２をより確実に封じることができる。
【００５３】
本発明の水処理カートリッジは、図７に例示した水処理カートリッジ１００Ｃであってもよい。図７における図４と同じ部分は、同符号を付して説明を省略する。水処理カートリッジ１００Ｃは、本体部１０６の胴部１１０における薄肉部１１４の基端部の外周面に周方向に全周にわたって凸条１４６が形成され、蓋部１０８の側壁部１２８における薄肉部１３２の先端部の内周面に、全周にわたって凹条１４８が形成されている以外は、水処理カートリッジ１００と同じである。
【００５４】
水処理カートリッジ１００Ｃでは、第１嵌合部１１６と第２嵌合部１３４の嵌合に加えて、さらに凸条１４６と凹条１４８とが嵌合する。これにより、水処理カートリッジ１００の場合に比べて蓋部１０８がより高い強度で本体部１０６に装着されるため、カートリッジ本体１０２をより確実に封じることができる。
【００５５】
本発明の水処理カートリッジは、図８に例示した水処理カートリッジ１００Ｄであってもよい。図８における図４と同じ部分は、同符号を付して説明を省略する。水処理カートリッジ１００Ｄは、本体部１０６の胴部１１０における薄肉部１１４の基端部の外周面側に、胴部１１０の高さ方向に突出する凸条１５０が周方向に全周にわたって形成され、蓋部１０８の側壁部１２８における薄肉部１３２の先端面に、全周にわたって凹条１５２が形成されている以外は、水処理カートリッジ１００と同じである。
【００５６】
水処理カートリッジ１００Ｄでは、第１嵌合部１１６と第２嵌合部１３４の嵌合に加えて、さらに凸条１５０と凹条１５２とが嵌合するため、蓋部１０８の側壁部１２８の径方向の動きが規制される。これにより、水処理カートリッジ１００の場合に比べて蓋部１０８がより高い強度で本体部１０６に装着されるため、カートリッジ本体１０２をより確実に封じることができる。
【００５７】
また、本発明の水処理カートリッジは、図９に例示した水処理カートリッジ１００Ｅであってもよい。図９における図３と同じ部分は、同符号を付して説明を省略する。水処理カートリッジ１００Ｅは、カートリッジ本体１０２の本体部１０６における胴部１１０の先端部の内周面側、すなわち胴部１１０における板部１１２と反対側の開口端の内周面側に嵌まり込んでいる補強部材１５４をさらに備える以外は、水処理カートリッジと同じである。
【００５８】
補強部材１５４は、図１０に示すように、円環状のリング部１５６と、リング部１５６の内側に接続された十字状の支持棒１５８とを備えている。リング部１５６の外径は、本体部１０６の胴部１１０の内径と同等になっている。補強部材１５４が嵌め込まれていることで、本体部１０６の胴部１１０が径方向の内側に押されても胴部１１０が変形しにくくなる。そのため、第１嵌合部１１６と第２嵌合部１３４の嵌合がよりはずれにくくなることで、水処理カートリッジ１００の場合に比べてカートリッジ本体１０２をより確実に封じることができる。
【００５９】
補強部材のリング部の形状は、円環状には限定されず、本体部の胴部の形状に応じて適宜設定すればよい。また、補強部材は、十字状の支持棒を備えないものであってもよい。補強効果がより高い点では、補強部材１５４のような十字状の支持棒を備える補強部材が好ましい。
補強部材の材質は、特に限定されず、例えば、カートリッジ本体の材質として挙げたものと同じものが挙げられる。
【００６０】
水処理カートリッジ１００、１００Ａ〜１００Ｅでは、凸条からなる第１嵌合部と凹条からなる第２嵌合部の組み合わせであったが、第１嵌合部と第２嵌合部は、それらが互いに嵌合するものであればこの組み合わせには限定されない。例えば、凹条からなる第１嵌合部と凸条からなる第２嵌合部の組み合わせであってもよく、凸条からなる第１嵌合部と凸条からなる第２嵌合部の組み合わせであってもよい。
【符号の説明】
【００６１】
１００、１００Ａ〜１００Ｅ
１０２  カートリッジ本体
１０４  浄化材
１０６  本体部
１０８  蓋部
１１０  胴部
１１２  板部
１１４  薄肉部
１１４ａ  外周面
１１６、１１６Ａ  第１嵌合部
１２６  閉止部
１２８  側壁部
１３２  薄肉部
１３２ａ  内周面
１３４、１３４Ａ  第２嵌合部
１５４  補強部材
【図１】
2017192919.tif 000003
【図２】
2017192919.tif 000004
【図３】
2017192919.tif 000005
【図４】
2017192919.tif 000006
【図５】
2017192919.tif 000007
【図６】
2017192919.tif 000008
【図７】
2017192919.tif 000009
【図８】
2017192919.tif 000010
【図９】
2017192919.tif 000011
【図１０】
2017192919.tif 000012
【図１１】
2017192919.tif 000013